(57)【要約】【課題】デスクの天板下において、簡易な構成でディスプレイを保持することが可能で、デスク全体の軽量化と低コスト化を可能にし、既存のデスクに交換部品として用いることも可能なディスプレイ保持具及びそれを備えたデスクを提供する。【解決手段】デスク１は、ガラス等を材料とする透過性部材２１を備えた天板２と、天板２左右の幅方向両端に、それぞれ天板２の奥行き方向全体に渡って保持するよう設けられた脚３（３１，３２）と、天板２の奥行き側において、両端の脚３の間を渡るように設けられた幕板の機能を兼ねるディスプレイ保持具４と、から構成される。ディスプレイ保持具４は、垂直面を構成する幕板４１と、薄型ディスプレイを保持する保持部４２とからなる。ディスプレイ保持具４は、スチール製の板状体を曲げ加工又は所定形状に切断して構成したものであり、幕板４１と保持部４２とは、所定形状に切り出した１枚の板状体を曲げ加工して形成される。【選択図】図１
2013198561.tif 000002
【特許請求の範囲】
【請求項１】
デスクの天板下でディスプレイを保持するディスプレイ保持具であって、
デスクの脚の間に設けられる幕板と、前記幕板に設けたディスプレイを保持する保持部とを備え、
前記保持部は、前記幕板に対して前記幕板の内面側に向かって傾斜して設けられ、この傾斜した面にディスプレイを固定する取付部を形成したことを特徴とするディスプレイ保持具。
【請求項２】
前記保持部は、前記幕板の下端部分に延設されたことを特徴とする請求項１記載のディスプレイ保持具。
【請求項３】
前記取付部は、前記保持部の先端を折り返して筒状に又は重ね合わせて形成されたことを特徴とする請求項１又は２記載のディスプレイ保持具。
【請求項４】
前記幕板と、前記取付部との間の傾斜面には、ケーブルトレイが形成されたことを特徴とする請求項１〜３のいずれか１項に記載のディスプレイ保持具。
【請求項５】
少なくとも一部が透過性部材からなる天板と、
少なくとも天板の両端に設けられた一対の脚と、
前記両端の脚の間に渡って取り付けられた幕板と、前記幕板に設けたディスプレイを保持する保持部とを備えたデスクであって、
前記保持部は、前記幕板に対して前記幕板の内面側に向かって傾斜して設けられ、この傾斜した面にディスプレイを固定する取付部を形成したことを特徴とするデスク。
【発明の詳細な説明】
【技術分野】
【０００１】
本発明は、天板下にディスプレイ、キーボード及び筐体のパーソナルコンピュータの設備を収納し、天板に設けられた透過性部材を通じて天板上からディスプレイを視認可能なデスクに係り、特に、天板下において、薄型ディスプレイを保持するディスプレイ保持具及びそれを備えたデスクに関する。
【背景技術】
【０００２】
近年、事務作業においては、パーソナルコンピュータ（以下、単にパソコン又はＰＣという）の利用が必須になってきており、作業を行うデスク上でのＰＣの配置については、様々な技術が提案されている（例えば、特許文献１，２参照）。オフィス空間におけるデスク上でＰＣを利用する場合には、デスク上におけるＰＣの配置と、資料の配置スペースやメモスペースなどその他の作業スペースの確保が課題となる。
【０００３】
一方で、学校の教室やセミナールームにおけるデスクでＰＣを用いる場合は、オフィス空間における場合に加えて、教師や講師など教室等の前方に立つスピーカを視認できる必要性や、教室等の前方の板書やスクリーンに写し出される映像を視認できる必要性がある。また場合によってはスピーカとの対話が必要になる場面がある。このような状況においては、デスクの前方の視野スペースを確保する課題が生じる。
【０００４】
このような前方への視野スペースの確保を実現したものとして、従来、デスクの天板の一部にガラス素材などからなる透過性部材を配置し、天板下にディスプレイを収納することで、デスクの天板上にディスプレイを配置する必要をなくした技術が提案されている（例えば、特許文献３，４参照）。また、デスクの天板下に、昇降式のディスプレイ設置台を設け、天板に開閉式の蓋を設けることで、使用時にだけディスプレイを天板下から上昇させ、使用する技術が提案されている（例えば、特許文献５参照。）。
【先行技術文献】
【特許文献】
【０００５】
【特許文献１】特開２００４−３８３９７号公報
【特許文献２】特開２００２−６５３６７号公報
【特許文献３】特開平６−２９６５２３号公報
【特許文献４】特開２０００−１５７３４５号公報
【特許文献５】特開平６−１１２号公報
【発明の概要】
【発明が解決しようとする課題】
【０００６】
ところで、上記従来の技術では、デスクの天板下でディスプレイを保持するに当たって、具体的な構造の開示がないか、又は天板下に、別途ディスプレイを保持するワゴンを用いている。ワゴンはディスプレイを移動させるには適しているが、デスクの天板下で、一定のスペースを取るため、結果としてユーザの脚入れスペースを阻害するとともに、デスクと一体に販売するに当たっては、部品点数が多く、デスクの重量も増すこととなっていた。この結果、コスト高や輸送効率が悪く、また、実際の使用時にも、ユーザがデスクのレイアウト変更を容易に行えないなどの問題があった。
【０００７】
また、昇降装置によって天板下にディスプレイを収容する場合も、昇降装置を天板下に収納しておくためのスペースが必要であり、デスクの奥行きを確保する必要があった。さらに、使用に当たっては、その都度ディスプレイを天板下から取り出す必要があり、作業性に問題があった。
【０００８】
いずれの場合にも、ディスプレイを天板下に配置するため、デスクの奥行き方向の大きさを確保する必要があった。
【０００９】
また、そもそも、上記従来技術は、いずれもブラウン管を用いたディスプレイを前提とする技術であって、近年普及した液晶技術などを利用した薄型ディスプレイを対象とするものではなかった。
【００１０】
本発明は、以上のような従来技術の課題を解決するために提案されたものであり、その目的は、デスクの天板下において、簡易な構成で薄型ディスプレイを保持することが可能で、デスク全体の軽量化と低コスト化を可能にし、既存のデスクに交換部品として用いることも可能なディスプレイ保持具及びそれを備えたデスクを提供することにある。
【課題を解決するための手段】
【００１１】
上記課題を解決するため、請求項１に係る発明は、デスクの天板下でディスプレイを保持するディスプレイ保持具であって、デスクの脚の間に設けられる幕板と、前記幕板に設けたディスプレイを保持する保持部とを備え、前記保持部は、前記幕板に対して前記幕板の内面側に向かって傾斜して設けられ、この傾斜した面にディスプレイを固定する取付部を形成したことを特徴とする。
また、請求項２に係る発明は、請求項１記載の発明において、前記保持部は、前記幕板の下端部分に延設されたことを特徴とする。
【００１２】
さらに、請求項５に係る発明は、請求項１の保持具を備えたデスクに係るもので、少なくとも一部が透過性部材からなる天板と、少なくとも天板の両端に設けられた一対の脚と、前記両端の脚の間に渡って取り付けられた幕板と、前記幕板に設けたディスプレイを保持する保持部とを備えたデスクであって、前記保持部は、前記幕板に対して前記幕板の内面側に向かって傾斜して設けられ、この傾斜した面にディスプレイを固定する取付部を形成したことを特徴とする。
【００１３】
以上の態様では、デスクの天板下で、ディスプレイを保持するに当たって、幕板の内面側に傾斜して保持部を設けることで、簡単な構成により、天板下でのディスプレイの保持が可能となる。
【００１４】
このような構成は、デスクに通常に用いる幕板の改良によって実現しているので、大きな部品の増加はなく、重量の増加や部品点数の増大にならず低コストかつ高輸送効率を実現可能である。さらに、天板全体がガラスなどの透過性部材で構成されるデスクにあっては、既存の幕板を交換することで、天板下にディスプレイを保持するデスクに変更することができるので、利便性が高い。
【００１５】
請求項３の発明は、請求項１又は２記載の発明において、前記取付部は、前記保持部の先端を折り返して筒状に又は重ね合わせて形成されたことを特徴とする。
以上の態様では、取付部の先端が、折返して筒状又は重ね合わせにより構成されることで、ディスプレイを取り付ける部位の強度を上げることが可能になる。
【００１６】
請求項４の発明は、請求項１〜３のいずれか１項に記載発明において、前記幕板と、前記取付部との間の傾斜面には、ケーブルトレイが形成されたことを特徴とする。
以上の態様では、幕板と取付部との間の傾斜面に、ＰＣのケーブル類を搭載することが可能なケーブルトレイを設けることにより、キーボードやディスプレイの電源ケーブルや接続ケーブルなどを幕板側に配線することが可能となる。また、このケーブルトレイは、傾斜面で構成されるため、ケーブルトレイに格納されたケーブル類が、傾斜にしたがって一方に集まるようになり、ケーブルの整理がなされる。
【発明の効果】
【００１７】
以上のような本発明によれば、デスクの天板下において、簡易な構成で薄型ディスプレイを保持することが可能で、デスク全体の軽量化と低コスト化を可能にし、既存のデスクに交換部品として用いることも可能なディスプレイ保持具及びそれを備えたデスクを提供することができる。
【図面の簡単な説明】
【００１８】
【図１】本発明の実施の形態に係るデスクの全体構成を示す分解斜視図。
【図２】本発明の実施の形態に係るデスクの全体構成を示す平面図（ａ）、正面図（ｂ）及び側面図（ｃ）。
【図３】本発明の実施の形態に係るデスクの側断面を示す図。
【図４】本発明の実施の形態に係るデスクの使用状態を示す模式図。
【発明を実施するための形態】
【００１９】
以下、本発明の実施の形態（以下、本実施形態という。）について、図面を参照しながら説明する。なお、図面においては、一部分を省略して示す場合がある。
【００２０】
［１．本実施形態］
［１−１．構成］
（全体構成）
本実施形態のデスク１は、図１の分解斜視図に示すように、ガラス等を材料とする透過性部材２１を備えた天板２と、天板２左右の幅方向両端に、それぞれ天板２の奥行き方向全体に渡って保持するよう設けられた脚３（３１，３２）と、天板２の奥行き側において、両端の脚３の間を渡るように設けられた幕板の機能を兼ねるディスプレイ保持具４と、から構成される。また、図２に示すように、デスク１の奥行き方向で手前側には、両端部をレールによりスライド移動可能に構成されたキーボード格納棚５が設けられている。
【００２１】
ここで、本実施形態のデスク１においては、ディスプレイ保持具４が特徴的構成をなすものであり、その他の天板２，脚３，キーボード格納棚５の構成は、従来と同様であるので、以下では、ディスプレイ保持具４の構成について詳細に説明する。
【００２２】
（ディスプレイ保持具の構成）
ディスプレイ保持具４は、図１に示すように、垂直面を構成する幕板４１と、薄型ディスプレイを保持する保持部４２とからなる。ディスプレイ保持具４は、スチール製の板状体を曲げ加工又は所定形状に切断して構成したものであり、幕板４１と保持部４２とは、所定形状に切り出した１枚の板状体を曲げ加工して形成している。
【００２３】
幕板４１は垂直面４３を形成し、一方、保持部４２は、垂直面４３に対して所定の角度で延設された傾斜面４４をなすとともに、ディスプレイを直接支持する支持プレート４５からなる。幕板４１の垂直面４３と保持部４２の傾斜面４４とは、いずれも天板２の両端の脚３１，３２の双方に至るまで、幅方向に渡って設けられ、それぞれが、脚３１，３２の内側面に螺子止め等により固定されている。
【００２４】
ここで、幕板４１を構成する垂直面４３だけでなく、保持部４２を構成する傾斜面４４を幅方向に渡るように設け、脚３１，３２にそれぞれ固定しているのは、傾斜面４４が、後述する支持プレート４５に直接的に保持される薄型ディスプレイの重量を受けるために十分な強度を確保するためである。したがって、傾斜面４４を脚３１，３２に固定しなくても十分な強度を確保できるのであれば、傾斜面４４を幅方向に渡って設ける必要はなく、薄型ディスプレイを取り付ける位置に対応して、幅方向の一部領域を占める程度で構成することも可能である。ただし、デスク１全体の軽量化を目的とした本発明にあって、軽量な部材を選択した上で十分な強度を保つ要請があり、また、薄型ディスプレイを取り付けないでデスク１を用いる場合においてもデザイン上の統一感を持たせる観点から見ても、傾斜面４４を幅方向全幅に渡って設け、脚３１，３２にそれぞれ固定する実施態様が最適な態様であるといえる。
【００２５】
幕板４１は、従来用いられてきた幕板と同様の役割及び構成をなす部分であり、従来技術の範囲で種々の設計変更が可能である。本実施形態では、図中の上面側と両側面側の３面において、取付面４１ａ〜４１ｃを形成し、それぞれの取付面４１ａ，４１ｂ，４１ｃを、天板２の裏面及び両脚３１，３２の内側の面に当接させ、ネジ止めすることにより、垂直面４３を固定するようにしている。
【００２６】
保持部４２は、本実施形態に特有の構成であり、垂直面４３の下端を延伸して形成されている。より具体的には、保持部４２の傾斜面４４は、垂直方向に設置される垂直面４３に対して、天板２の内側に向かって傾斜し、その内角が鈍角となる方向に延伸して設けられている。本実施形態では、垂直面４３と傾斜面４４との天板２の内側方向のなす角が１１０°、すなわち、傾斜面４４は水平方向に対して下向きに２０°垂れて構成される。この角度により、天板２の正面側からでも、透過性部材２１を通じた十分な視認性を確保している。
【００２７】
保持部４２は、傾斜面４４の下端部分に、断面が方形状になるように曲げ加工を施した筒状部４４ａを備える。この筒状部４４ａは、傾斜面４４の先端部分を直角に３回折り返して、断面方形の筒状を形成したものである。筒状部４４ａは、幅方向の所定位置に、後述する支持プレート４５を固定するためのネジ穴４４ｂが設けられている。筒状部４４ａの左右両側端部は、凹状の取付片４４ｃ，４４ｄを介して、脚３１，３２に固定される。より具体的には、脚３１，３２側に突起が設けられ、この突起を、取付片４４ｃ及び４４ｄに設けた穴に差し込むことで、筒状部４４ａを脚３１，３２に対して固定するようになっている。
【００２８】
ここで、保持部４２の傾斜面４４における、筒状部４４ａと垂直面４３との間は、筒状部４４ａの立上りと、垂直面４３の面により凹状に囲まれた空間が形成される。この空間は、薄型ディスプレイをはじめ、キーボード、マウス又はＰＣ本体のケーブルを、配置するケーブルトレイ４６として構成することが可能である（詳細は後述する。）。
【００２９】
支持プレート４５は、断面が凹状で全体が細長の溝型をなし、薄型ディスプレイを固定するアーム部４５ａと、保持部４２の傾斜面４４の下端に形成された筒状部４４ａに取り付けられる取付部４５ｃとを備える。保持部４２は、傾斜面４４に設けた筒状部４４ａと接続する面を底面として、この底面に取付部４５ｃを有するとともに、底面から立ち上がった側壁の上端両側に羽根状に突出したアーム部４５ａを有する。アーム部４５ａには、アーム部４５ａと薄型ディスプレイとを固定するための固定穴４５ｂが設けられ、取付部４５ｃには、前述の傾斜面４４に形成された筒状部４４ａに設けたネジ穴４４ｂに当接する取付穴４５ｄが設けられている。
【００３０】
（薄型ディスプレイの取付状態）
図３の側面図に、本実施形態のデスク１に薄型ディスプレイが取り付けられた状態を示す。薄型ディスプレイＤは、デスク１の奥行き側（図中右側）に取り付けられたディスプレイ保持具４の傾斜面４４における下端部の筒状部４４ａに対して、保持部４２を介して取り付けられている。
【００３１】
このとき、ディスプレイ保持具４の傾斜面４４は、水平面に対して、２０°の角度で傾斜しているので、薄型ディスプレイＤの表示面も、この角度で傾斜して取り付けられる。この場合、図４に示すように、キーボード格納棚５を、天板２の下部から引き出すことによって、後述するように、ユーザは、デスク１の天板２に設けられた透過性部材２１を介して、デスク上から薄型ディスプレイＤの画面を視認することが可能である。
【００３２】
（ケーブルトレイの構成）
上述のように、筒状部４４ａと垂直面４３との間には、ケーブルトレイ４６が形成される。このケーブルトレイ４６の構成について、図３を参照して説明する。
【００３３】
図３に示すように、ケーブルトレイ４６は、筒状部４４ａと垂直面４３との間における、筒状部４４ａの立上りと、垂直面４３の面により凹状に囲まれた空間に形成される。ケーブルトレイ４６は、薄型ディスプレイＤをはじめ、図示しないキーボード、マウス又はＰＣ本体のケーブルＣを収納可能に構成される。
【００３４】
このケーブルトレイ４６に投入されたケーブル類は、上述のように傾斜面４４が水平面に対して２０°の角度で傾いていることにより、重力にしたがって傾斜の下方に向かって整理されて収納されるようになっている。
【００３５】
［１−２．作用効果］
次に、以上のような構成からなる本実施形態のデスク１及びディスプレイ保持具４の作用効果について説明する。
【００３６】
（デスクの使用例）
まず、図４を用いて本実施形態のデスク１の使用例について説明する。図４は、本実施形態のデスク１を通常のデスク又はパソコンデスクとして使用する様子を模式的に示したものである。
【００３７】
同図において、天板２下にスライド移動可能に設けられたキーボード格納棚５を、天板下から取り出していない状態においては、天板２上からは、キーボード格納棚５が、天板２の透過性部材２１を半分程度覆っている状態である（図２（ａ）参照）。この場合、ユーザは、デスク１を通常のデスクとして使用する状態であり、天板２上の作業領域が広く確保されているため、例えば、学校の教室やセミナールームにおいて講義を聴講するのに適した状態である。
【００３８】
一方、図４に示すように、天板下のキーボード格納棚５を、ユーザ側に引き出した状態においては、天板２上から透過性部材２１を介して薄型ディスプレイＤの画面全体を視認することが可能である。この場合、ユーザは、デスク１をいわゆるパソコンデスクとして使用する状態であり、例えば、学校の教室やセミナールームにおいては、薄型ディスプレイＤを視認しつつ、前方でなされる解説等を視認するための視界も確保された状態となる。
【００３９】
（効果）
以上のような本実施形態のデスク１及びディスプレイ保持具４によれば、デスク１の天板２下で、薄型ディスプレイＤを保持するに当たって、ディスプレイ保持具４を構成する幕板４１の垂直面４３の先端に、保持部４２として傾斜面４４を延設し、さらにその傾斜面４４に支持プレート４５を取り付けるという簡単な構成によって、天板２下で薄型ディスプレイＤを保持することが可能になる。また、保持部４２の傾斜面４４の先端が、筒状部４４ａをなすことで、薄型ディスプレイＤを取り付ける部位の強度を上げることが可能になる。
【００４０】
このような構成を、デスク１に通常に用いる幕板の改良によって実現しているので、大きな部品の増加はなく、重量の増加や部品点数の増大にならず低コストかつ高輸送効率を実現可能である。さらに、天板全体がガラスなどの透過性部材で構成されるデスクにあっては、既存の幕板を交換することで、天板下に薄型ディスプレイを保持するデスクに変更することができるので、利便性が高い。
【００４１】
さらに、ディスプレイ保持具４を構成する保持部４２の傾斜面４４部分に、ＰＣのケーブル類を搭載することが可能なケーブルトレイ４６を設けることにより、キーボードや薄型ディスプレイの電源ケーブルや接続ケーブルなどを幕板側に配線することが可能となる。また、このケーブルトレイ４６は、傾斜面４４の面上に構成されるため、ケーブルトレイ４６に格納されたケーブル類が、傾斜にしたがって一方に集まるようになり、ケーブルの整理がなされる。
【００４２】
［２．他の実施形態］
本発明は、上記実施形態に示した内容に限定されるものではなく、例えば、以下の態様も包含するものである。本実施形態において、ディスプレイ保持具４を構成する素材についてスチール製であることを記載したが、本発明はこのような態様に限られない。すなわち、ディスプレイ保持具を構成する素材は、薄型ディスプレイを保持し得る十分な強度を確保し得る限り、スチールに限らず公知のあらゆる素材によってなし得る。
【００４３】
本実施形態では、保持部の構成を、傾斜面４４と支持プレート４５とに分けて構成したが、これは最適な実施形態を示すものであり、支持プレート４５における薄型ディスプレイを保持する機能を傾斜面４４側に包含させ、保持部を一体に設けることも可能である。
【００４４】
また、本実施形態では、幕板の垂直面と保持部の傾斜面とを一体に設けたが、本発明では、これらを別体に設け、溶接やネジ止め等により垂直面と傾斜面とを接合する構成も含まれる。同様に、部品点数の削減や工数の削減などの目的で、幕板４１と保持部４２を１枚の板状体から形成しているが、これは最適な実施例を示すものであり、本発明では各面をなす板を溶接等により形成することを除外するものではない。
【００４５】
本実施形態では、傾斜面４４の先端部分を直角に３回折り返して、断面方形の筒状を形成し、ディスプレイを取り付ける部分の強度を増すように構成したが、本発明は、このような態様に限定されず、例えば、傾斜面４４の先端部分を折り返して複数層に重ねるようにして強度を高めることによっても構成し得る。
【符号の説明】
【００４６】
１…デスク
２…天板
２１…透過性部材
３，３１，３２…脚
４…ディスプレイ保持具
４１…幕板
４１ａ〜４１ｃ…取付面
４２…保持部
４３…垂直面
４４…傾斜面
４４ａ…筒状部
４４ｂ…ネジ穴
４４ｃ，４４ｄ…取付片
４５…支持プレート
４５ａ…アーム部
４５ｂ…固定穴
４５ｃ…取付部
４５ｄ…取付穴
４６…ケーブルトレイ
４６ａ…固定穴
Ｃ…ケーブル
Ｄ…薄型ディスプレイ
【図１】
2013198561.tif 000003
【図２】
2013198561.tif 000004
【図３】
2013198561.tif 000005
【図４】
2013198561.tif 000006